(57)【要約】【課題】  複数のペットボトルを保持し、持ち運びに容易であり、おまけ等も収納できるホルダを提供すること。【解決手段】  台紙１には底部３、第１側部５、第２側部７、第３側部９、第４側部１１、収納領域１５−１、１５−２、１５−３、第１取手部１７、屋根部１９、第２取手部２１が形成される。底部３に対して、第１側部５、第２側部７を折り曲げ、収納領域１５−１、１５−２、１５−３で収納部１６を形成し、第１取手部１７と第２取手部２１等を接合し、ホルダ５１を形成する。【選択図】  図２
0003110303.tif 000002
【実用新案登録請求の範囲】
【請求項１】
ほぼ矩形状の台紙上で、
中央部を底部とし、
前記底部の両側を第１の側部と第２部の側部とし、
前記第1の側部の外側の矩形領域を切り込み、収納領域と第1の取手部を形成し、
前記第２の側部の外側の矩形領域を切り込み、屋根部と第２取手部を形成し、
前記底部に２つの穴を形成し、
前記第１の側部と前記第２の側部が前記底部に対して立設するように前記台紙を折り曲げ、
前記第１の取手部と前記第２の取手部と接合することにより形成されることを特徴とするホルダ。
【請求項２】
前記収納領域を折り曲げて、収納部を形成することを特徴とする請求項1記載のホルダ。
【請求項３】
前記穴の周囲を切り込んで複数の爪部を形成し、
前記穴にペットボトルの頭部を貫通させ、前記爪部により前記ペットボトルが支持されることを特徴とする請求項1記載のホルダ。
【請求項４】
前記底部に扉部を設けることを特徴とする請求項1記載のホルダ。
【請求項５】
前記底部にスリットを設け、このスリットにおまけ収納部を嵌合させることを特徴とする請求項1記載のホルダ。
【考案の詳細な説明】
【技術分野】
【０００１】
本考案は、ペットボトルや缶ボトル等のホルダに関するものである。
【背景技術】
【０００２】
コンビニエンスストア等では、清涼飲料水等のペットボトルは冷蔵庫や保温室等に1本ずつ保存され、顧客が冷蔵庫の扉を開けてペットボトルを取り出してレジで購入する。
ペットボトルを複数個束ねるホルダとしては、以下のようなものがある。
【０００３】
【特許文献１】特開平８−３０１３３８号公報
【考案の開示】
【考案が解決しようとする課題】
【０００４】
しかしながら、このようなホルダは、２つのペットボトルの頭部を拘束するだけで、持ち運びに不便であるという問題があった。
【０００５】
本考案は、このような問題に鑑みてなされたもので、その目的とするところは、複数のペットボトルを保持し、持ち運びに容易であり、おまけ等も収納できるホルダを提供することにある。
【課題を解決するための手段】
【０００６】
前述した目的を達成するための本考案は、ほぼ矩形状の台紙上で、中央部を底部とし、前記底部の両側を第１の側部と第２部の側部とし、前記第1の側部の外側の矩形領域を切り込み、収納領域と第1の取手部を形成し、前記第２の側部の外側の矩形領域を切り込み、屋根部と第２取手部を形成し、前記底部に２つの穴を形成し、前記第１の側部と前記第２の側部が前記底部に対して立設するように前記台紙を折り曲げ、前記第１の取手部と前記第２の取手部と接合することにより形成されることを特徴とするホルダである。
【０００７】
このホルダでは、前記収納領域を折り曲げて、収納部を形成する。また、前記穴の周囲を切り込んで複数の爪部を形成し、前記穴にペットボトルの頭部を貫通させ、前記爪部により前記ペットボトルが支持される。また前記底部にスリットを設け、このスリットにおまけ収納部を嵌合させてもよい。
【考案の効果】
【０００８】
本考案によれば、複数のペットボトルを保持し、持ち運びに容易であり、おまけ等も収納できるホルダを提供することができる。
【考案を実施するための最良の形態】
【０００９】
以下に、図面を用いて本考案の実施の形態について詳細に説明する。
図１は、本考案の１実施の形態に係るホルダを形成するための台紙１を示す。
【００１０】
図１において、太線は外形を示す線であり、細線は切り込みを示す線であり、点線は折り曲げを示す線である。台紙１は厚紙である。
台紙１は、ほぼ矩形状であり、その中央部に矩形状の底部３を有する。底部３の両側に第１側部５、第２側部７があり、第１側部５の外側に収納領域１５−１、１５−２、１５−３及びコの字状の第１取手部１７が形成される。
【００１１】
第２側部７の外側には屋根部１９及びコの字状の第２取手部２１が形成される。
底部３の両側には第３側部９、第４側部１１が設けられる。底部３の内部には穴３１−１、３１−２が設けられる。この穴３１−１、３１−２の径は、ペットボトルの頭部のキャップ部とほぼ同じ径である。
【００１２】
穴３１−１、３１−２の周囲は放射状に切り込まれ、爪部３３が設けられる。
穴３１−１、３１−２の間には切り込みによって扉部３５−１、３５−２が形成される。穴３１−１と扉部３５−１の間に穴３４−１が設けられ、穴３１−２と扉部３５−２との間に穴３４−２が設けられる。
【００１３】
収納領域１５−１には突出部３７−１が形成され、収納領域１５−３には突出部３７−２が形成され、収納領域１５−２には穴３９が設けられる。台紙１を折り曲げてホルダ５１が組み立てられたとき、突出部３７−１は穴３４−１に嵌り、突出部３７−２には穴３４−２に嵌る。
屋根部１９には突起４１が形成され、この突起４１は台紙１が折り曲げられてホルダが形成されたときに穴３９に嵌る。
【００１４】
次に、台紙１を折り曲げてホルダ５１を組み立てる手順について説明する。
図２に示すように、底部３に対して第１側部５が立設するように底部３と第１側部５との間を折り曲げる。また、収納領域１５−１、１５−２、１５−３を、第１取手部１７と分離し、底部３側に折り曲げると同時に収納領域１５−１、収納領域１５−２をそれぞれＰ方向、Ｑ方向に折り曲げることによって収納領域１５−１、１５−２、１５−３により収納部１６を形成させる。このとき開口５１が形成され、収納領域１５−１の突出部３７−１を底部３の穴３４−１に嵌め、突出部３７−２を穴３４−２に嵌めて収納部１６を底部３に固定する。
【００１５】
次に、図３に示すように、第２側部７が立設するように底部３と第２側部７との間を折り曲げ、更に第２取手部２１と屋根部１９を分離することによって開口５３を形成する。
【００１６】
次に、図４に示すように、第２取手部２１と第１取手部１７とを接着剤等で接合する。更に屋根部１９の突起４１をＡ方向に折り曲げて穴３９に嵌める。更に第３側部９、第４側部１１を底部３に対して立設するように折り曲げる。
【００１７】
このようにして、ホルダ５１が完成する。図５から図８は組み立てられたホルダ５１を示すもので、図５は図４のＤ方向矢視図、図６は図４のＣ方向矢視図、図７は図４のＥ方向矢視図、図８は図４のＦ方向矢視図である。
【００１８】
図９はペットボトル５３−１、５３−２をホルダ５１で保持させる場合の説明図である。
【００１９】
図５から図８に示す完成されたホルダ５１−１の収納部１６の内部におまけ５７を入れた後、ホルダ５１−１をペットボトル５３−１、５３−２の上に置き、ホルダ５１にＧ方向の力を加えると、ペットボトル５３−１の蓋５５−１が穴３１−１を貫く。そして、爪部３３が蓋５５−１の下端と接触するので、ペットボトル５３−１はホルダ５１に嵌め込まれる。ペットボトル５３−２も同様である。
【００２０】
このように２本のペットボトル５３−１、５３−２がホルダ５１により保持され、コンビニエンスストアの冷蔵庫や保温庫、保温室に保管される。なお、冷蔵庫等に保管する場合、取手部１７、２１を水平方向まで折り曲げててもよい。顧客は冷蔵庫等の扉を開き、取手部１７、２１を持つことにより容易に２本のペットボトルを持ち出すことができる。コンビニエンスストアとしては２本まとめてペットボトルが売れるので売り上げが増加する。
【００２１】
また、図１０に示すように、おまけ５７ａの長さが長く、収納部１６に収納できない場合、底部３に設けた扉部３５−１、３５−２を開いて、おまけ５７ａの一部を外に出すようにする。
【００２２】
図１１は、第２の実施の形態に係る台紙１０１を示すもので、この台紙１０１は図１に示す台紙１と比べて底部３において扉部３５−１、３５−２を形成せずに底部３にスリット６１を設ける。その他の構成は台紙１と同様であるので説明を省略する。
【００２３】
図１２は、おまけを収納する収納部６３を示すもので、収納部６３はナイロン袋６５の上端に紙製のＨ型の頂部６７が設けられる。頂部６７の上部には、戻り６９ａ、６９ｂが設けられ、ナイロン袋６５の内部におまけ７１が収納される。
【００２４】
図１１に示す台紙１０１を台紙１と同様に折り曲げてホルダ１５１を形成した後、収納部６３の戻り６９ａ、６９ｂをＨ、Ｉ方向に折り曲げて、底部３のスリット６１に挿入する。このようにして収納部６３を底部３に取り付ける。
【００２５】
戻り６９ａ、６９ｂをＨ、Ｉ方向に折り曲げたときの収納部６３の上端の長さはスリット６１の長さよりも短いので、戻り６９ａ、６９ｂはスリット６１内を通過することができ、スリット６１を通過した後、戻り６９ａ、６９ｂを開く。
この場合の収納部６３の上端の長さはスリット６１の長さよりも長いので収納部６３は底部３から脱落することはない。
図１３は、収納部６３、ペットボトル５３−１，５３−２が取り付けられたホルダ１５１を示す。
【００２６】
以上、添付図面を参照しながら本考案にかかるホルダの好適な実施形態について説明したが、本考案はかかる例に限定されない。当業者であれば、実用新案登録請求の範囲に記載された技術的思想の範疇内において各種の変更例または修正例に想到し得ることは明らかであり、それらについても当然に本考案の技術的範囲に属するものと了解される。
【図面の簡単な説明】
【００２７】
【図１】台紙１を示す図
【図２】台紙１の折り曲げ状態を示す図
【図３】台紙１の折り曲げ状態を示す図
【図４】台紙１の折り曲げ状態を示す図
【図５】組み立てられたホルダ５１の図４のＤ方向矢視図
【図６】組み立てられたホルダ５１の図４のＣ方向矢視図
【図７】組み立てられたホルダ５１の図４のＥ方向矢視図
【図８】組み立てられたホルダ５１の図４のＦ方向矢視図
【図９】ペットボトル５３−１、５３−２を保持するホルダ５１を示す図
【図１０】ペットボトル５３−１、５３−２を保持するホルダ５１を示す図
【図１１】第２の実施の形態に係る台紙１０１を示す図
【図１２】収納部６３を示す図
【図１３】第２の実施の形態にかかるホルダ１５１を示す図
【符号の説明】
【００２８】
１、１０１………台紙
３………底部
５………第1側部
７………第２側部
９………第３側部
１１………第４側部
１７………第１取手部
１９………屋根部
２１………第２取手部
５１、１５１………ホルダ
５３………ペットボトル
【図１】
0003110303.tif 000003
【図２】
0003110303.tif 000004
【図３】
0003110303.tif 000005
【図４】
0003110303.tif 000006
【図５】
0003110303.tif 000007
【図６】
0003110303.tif 000008
【図７】
0003110303.tif 000009
【図８】
0003110303.tif 000010
【図９】
0003110303.tif 000011
【図１０】
0003110303.tif 000012
【図１１】
0003110303.tif 000013
【図１２】
0003110303.tif 000014
【図１３】
0003110303.tif 000015